(57)【特許請求の範囲】
【請求項１】
光束を射出する光源と、
複数の第１レンズを有し、前記光源から射出された光束を複数の部分光束に分割する第１レンズアレイと、
前記複数の第１レンズに対応する複数の第２レンズを有する第２レンズアレイと、
前記光源から射出された光束の透過光量を調節する調光装置と、
前記光源からの光束を画像情報に応じて変調して画像光を形成する光変調装置と、
前記画像光を投射する投射光学装置と、を備え、
前記調光装置は、
前記光束の中心軸に略直交する方向に回動軸をそれぞれ有し、前記回動軸を中心に回動する一対の回動部材と、
前記一対の回動部材を回動させる駆動手段と、
前記一対の回動部材によりそれぞれ保持され、かつ、前記一対の回動部材の回動に伴って移動し、前記光束の少なくとも一部を遮光する一対の遮光板と、
前記駆動手段及び前記一対の回動部材を保持する保持部材と、を備え、
前記一対の遮光板は、前記回動軸の方向において前記回動軸と重ならないように、前記一対の回動部材によりそれぞれ保持され、
前記一対の回動部材は、前記回動軸が前記第２レンズアレイ上に位置するように、それぞれ配置されることを特徴とするプロジェクタ。
【請求項２】
請求項１に記載のプロジェクタにおいて、
前記一対の遮光板は、それぞれ、
前記一対の回動部材のうち、対応する回動部材により保持される側の端部から、前記光束の中心軸に対する略直交方向に沿って延出する平板部と、
前記平板部の延出方向に沿って前記平板部に形成され、かつ、前記平板部に対して屈曲した屈曲部と、を備えることを特徴とするプロジェクタ。
【請求項３】
請求項２に記載のプロジェクタにおいて、
前記屈曲部は、前記平板部において、対応する前記回動軸に近接する側の端部に設けられ、かつ、対応する前記回動軸に対して離間する方向に屈曲していることを特徴とするプロジェクタ。
【請求項４】
請求項２に記載のプロジェクタにおいて、
前記屈曲部は、前記駆動手段による前記一対の回動部材の回動によって互いに近接及び離間する前記平板部の端部とは反対側の端部に設けられ、かつ、対応する前記回動軸に対して離間する方向に屈曲していることを特徴とするプロジェクタ。
【請求項５】
請求項１から請求項４のいずれかに記載のプロジェクタにおいて、
前記一対の回動部材は、それぞれ、前記保持部材における一方の面側に軸支され、
前記一対の回動部材は、それぞれ、前記一対の遮光板のうち、対応する遮光板を保持する保持部を有し、
前記一対の遮光板は、それぞれ、一方の端部に前記保持部に保持される固定部を有することを特徴とするプロジェクタ。
【請求項６】
請求項１から請求項５のいずれかに記載のプロジェクタにおいて、
前記一対の遮光板は、それぞれ、前記第１レンズアレイと前記第２レンズアレイとの間に配置されることを特徴とするプロジェクタ。
【請求項７】
請求項６に記載のプロジェクタにおいて、
前記一対の遮光板は、前記光束の中心軸に略直交する面に沿ってそれぞれ配置された状態から、前記一対の回動部材の回動に応じて、互いに近接する側の端部が前記第２レンズアレイに対して前記光束の入射側に位置する前記第１レンズアレイに近接する方向にそれぞれ回動することで、前記光束の透過光量を増加させることを特徴とするプロジェクタ。
【請求項８】
請求項１から請求項７のいずれかに記載のプロジェクタにおいて、
前記第１レンズアレイ及び前記第２レンズアレイを内部に収納する第１開口部を有する筐体を備え、
前記筐体における前記第１開口部に交差する側面には、少なくとも前記一対の遮光板を内部に挿通させる第２開口部が形成されていることを特徴とするプロジェクタ。
【発明の詳細な説明】
【技術分野】
【０００１】
本発明は、プロジェクタに関する。
【背景技術】
【０００２】
従来、光源装置と、光源装置から射出された光束を画像情報に応じて変調して画像光を形成する画像形成領域を有する光変調装置と、形成された画像光を拡大投射する投射光学装置とを備えたプロジェクタが知られている。このようなプロジェクタとして、投影画像におけるコントラストの向上等を目的として、光源装置から射出され、かつ、光変調装置の画像形成領域に入射する光束の光量を調整する調光装置を備えたプロジェクタが提案されている（例えば、特許文献１参照）。
【０００３】
この特許文献１に記載の調光装置は、入射される光束の中心軸に対して対称配置される一対の遮蔽部材と、それぞれ遮蔽部材を保持するとともに、回動することで当該遮蔽部材を光束の光路内に介装させる一対の回動軸と、当該一対の回動軸を回動させる駆動機構と、一対の回動軸及び駆動機構を支持して一体化する固定部材とを備えている。このような調光装置は、光源装置から射出された光束により、光変調装置としての液晶パネルの画像形成領域を均一に照明するために設けられた一対のレンズアレイ間に設けられている。そして、この調光装置では、駆動機構の駆動量、すなわち、回動軸の回動量に応じて、入射光束の透過領域に対して遮蔽部材が挿入され、当該遮蔽部材により入射光束が部分的に遮光されることで、画像形成領域に入射される光束の光量を調整する。
【先行技術文献】
【特許文献】
【０００４】
【特許文献１】特開２００７−７１９１３号公報
【発明の概要】
【発明が解決しようとする課題】
【０００５】
ところで、プロジェクタは、使用場所に持ち運ばれて使用されることがあるため、携帯性が求められる。このため、小型化が要望されている。
しかしながら、前述の特許文献１に記載の調光装置では、遮蔽部材の一端が、回動軸の軸中心上にあるため、遮蔽部材の動作範囲が大きくなるという問題がある。特に、前述のように、調光装置が一対のレンズアレイ間に配置されている場合には、各レンズアレイ間の距離を短縮することが困難となり、調光装置、ひいては、プロジェクタの小型化が困難となるという問題がある。
【０００６】
本発明の目的は、小型化を図ることができるプロジェクタを提供することである。
【課題を解決するための手段】
【０００７】
前記した目的を達成するために、本発明のプロジェクタは、光束を射出する光源と、複数の第１レンズを有し、前記光源から射出された光束を複数の部分光束に分割する第１レンズアレイと、前記複数の第１レンズに対応する複数の第２レンズを有する第２レンズアレイと、前記光源から射出された光束の透過光量を調節する調光装置と、前記光源からの光束を画像情報に応じて変調して画像光を形成する光変調装置と、前記画像光を投射する投射光学装置と、を備え、前記調光装置は、前記光束の中心軸に略直交する方向に回動軸をそれぞれ有し、前記回動軸を中心に回動する一対の回動部材と、前記一対の回動部材を回動させる駆動手段と、前記一対の回動部材によりそれぞれ保持され、かつ、前記一対の回動部材の回動に伴って移動し、前記光束の少なくとも一部を遮光する一対の遮光板と、前記駆動手段及び前記一対の回動部材を保持する保持部材と、を備え、前記一対の遮光板は、前記回動軸の方向において前記回動軸と重ならないように、前記一対の回動部材によりそれぞれ保持され、前記一対の回動部材は、前記回動軸が前記第２レンズアレイ上に位置するように、それぞれ配置されることを特徴とする。
【０００８】
本発明によれば、各遮光板は、対応する回動部材の回動軸の方向において、当該回動軸と重ならないように当該回動部材により保持される。これによれば、各遮光板が、当該回動軸と重なるように回動部材により保持されている場合に比べ、一対の遮光板の動作範囲を小さくすることができる。
すなわち、各遮光板が、当該遮光板を保持する回動部材の回動軸の方向において、当該回動軸と重なるように保持されている場合では、各遮光板を照射面からの光束の透過領域外に配置させた状態（全開状態）から、各遮光板が同一平面内に位置する状態（全閉状態）となるまでの各遮光板の動作範囲を確保するために、全閉状態での各遮光板と照射面との間の距離を、各回動軸を結ぶ直線に沿う方向における全閉状態での遮光板の寸法以上に設定する必要が生じる。また、このように遮光板が回動軸上にある場合では、全閉状態では、各遮光板は各回動軸を含む平面上に配置される。
【０００９】
これに対し、本発明では、各遮光板が、対応する回動部材の回動軸の方向において、当該回動軸と重ならないように保持部により保持されるので、当該各遮光板は、一対の回動部材の回動に応じて、光束の透過領域内に外側から回り込むように侵入する。このため、全閉状態での各遮光板の位置は、各回動軸を含む平面より照射面に近接した位置となり、当該照射面と、各遮光板との距離を短くすることができるだけでなく、一対の遮光板の全開状態から全閉状態までの動作範囲を小さくすることができる。従って、調光装置、ひいては、プロジェクタの小型化を図ることができる。
また、このような調光装置では、回動部材の回動軸上に、対応する遮光板が位置せず、また、全閉状態での遮光板は、各回動軸を含む平面よりも照射面に近接した位置となるので、当該回動軸上の空間に他の部材を配置することが可能となる。このため、調光装置の配置自由度を向上することができる。
【００１０】
本発明では、前記一対の遮光板は、それぞれ、前記一対の回動部材のうち、対応する回動部材により保持される側の端部から、前記光束の中心軸に対する略直交方向に沿って延出する平板部と、前記平板部の延出方向に沿って前記平板部に形成され、かつ、前記平板部に対して屈曲した屈曲部とを備えることが好ましい。
本発明によれば、各遮光板は、対応する回動部材により保持される側の端部から、入射光束の中心軸に対する略直交方向に沿って延出する平板部を備えていることにより、当該平板部が当該中心軸に対して傾斜している場合に比べ、同じ光量を遮蔽する場合でも、遮光板の表面積を小さくすることができる。従って、小さい表面積で効率よく入射光束の遮光を行うことができる。また、遮光板は、平板部の延出方向に沿って当該平板部に形成された屈曲部を有するので、当該遮光板の強度を増すことができる。
【００１１】
本発明では、前記屈曲部は、前記平板部において、対応する前記回動軸に近接する側の端部に設けられ、かつ、対応する前記回動軸に対して離間する方向に屈曲していることが好ましい。
或いは、本発明では、前記屈曲部は、前記駆動手段による前記一対の回動部材の回動によって互いに近接及び離間する前記平板部の端部とは反対側の端部に設けられ、かつ、対応する前記回動軸に対して離間する方向に屈曲していることが好ましい。
【００１２】
本発明では、前記一対の回動部材は、それぞれ、前記保持部材における一方の面側に軸支され、前記一対の回動部材は、それぞれ、前記一対の遮光板のうち、対応する遮光板を保持する保持部を有し、前記一対の遮光板は、それぞれ、一方の端部に前記保持部に保持される固定部を有することが好ましい。
本発明によれば、保持部材の一方の面側に軸支された一対の回動部材により、各遮光板は片持ち保持されるので、保持部材を、遮光板を囲むような枠状に形成する必要がなく、各回動部材が軸支される１つの側面を有する板状に形成することができる。従って、調光装置の更なる小型化を図ることができる。
【００１３】
また、本発明のプロジェクタでは、前記一対の遮光板は、前記光源から射出された光束の透過光量を最も減じた際に、当該光束の光路上に、当該光束の中心軸に対してそれぞれ傾斜するように配置されてもよい。
【００１４】
ここで、各遮光板が、入射光束の中心軸に対して略直交するように配置される場合には、当該遮光板により一部の光が反射され、当該一部の光が光源に戻る戻り光となってしまう可能性がある。このような戻り光は、光源の温度上昇を招き、当該光源の劣化を早める一因となる。
これに対し、一対の遮光板が入射光束の透過光量を最も減じた際に、各遮光板は、光源から射出された光束の光路上に、入射光束の中心軸に対して傾斜するように配置される。換言すると、各遮光板は、光束入射側の面が入射光束の中心軸に対する直交面とならないように配置される。これによれば、各遮光板に入射した光を光源に戻りづらくすることができる。従って、光源の劣化を抑制することができる。
【００１５】
本発明では、前記一対の遮光板は、それぞれ、前記第１レンズアレイと前記第２レンズアレイとの間に配置されることが好ましい。
本発明によれば、前述の照射面となる第１レンズアレイと、前述の全開状態での各遮光板との距離を短くすることができるので、当該第１レンズアレイと、第２レンズアレイとの距離を短縮することが可能となる。従って、各レンズアレイ及び調光装置を有する照明装置の小型化を図ることができ、ひいては、プロジェクタの小型化を図ることができる。
【００１６】
本発明では、前記一対の遮光板は、前記光束の中心軸に略直交する面に沿ってそれぞれ配置された状態から、前記一対の回動部材の回動に応じて、互いに近接する側の端部が前記第２レンズアレイに対して前記光束の入射側に位置する前記第１レンズアレイに近接する方向にそれぞれ回動することで、前記光束の透過光量を増加させることが好ましい。
ここで、各遮光板が上記光束の中心軸に略直交する面に沿ってそれぞれ配置された状態から、各遮光板において互いに近接する側の端部が第２レンズアレイに近接する方向に当該各遮光板が回動することで、透過光量を増加させる場合には、第１レンズアレイから射出され、かつ、第２レンズアレイに入射する光の一部を遮光する遮光板により反射された光の一部が第２レンズアレイに入射してしまう場合がある。このような場合、当該光が、第２レンズアレイを介して光変調装置に入射してしまい、当該光変調装置により形成され、かつ、投射光学装置により投射される投射画像に遮光板の影が映り込むことがある。このような影は、表示された画像を劣化させる一因となる。
【００１７】
これに対し、本発明では、各遮光板が上記光束の中心軸に略直交する面に沿ってそれぞれ配置された状態から、上記互いに近接する側の端部が第１レンズアレイに近接する方向に当該各遮光板が回動することで、透過光量を増加させることにより、遮光板により反射された光が、第２レンズアレイに入射されることを防ぐことができる。そして、これにより、遮光板の影が投射画像に映り込むことを防ぐことができる。従って、調光装置により、光変調装置に入射する光束の光量を調整した際に、遮光板の影が映り込むなどして画像の劣化が生じることを防ぐことができる。
【００１８】
本発明では、前記第１レンズアレイ及び前記第２レンズアレイを内部に収納する第１開口部を有する筐体を備え、前記筐体における前記第１開口部に交差する側面には、少なくとも前記一対の遮光板を内部に挿通させる第２開口部が形成されていることが好ましい。
ここで、第１開口部の形成範囲が、第１レンズアレイの収納位置から第２レンズアレイの収納位置までの範囲である場合、当該第１開口部内にて、各レンズアレイ間に空間が生じてしまうため、これらレンズアレイ間に遮光板を配置することが煩雑となる。
これに対し、本発明では、筐体における第１開口部の開口面に交差する側面に、遮光板が挿入される第２開口部が形成されていることにより、当該第２開口部に遮光板を挿入することで、各レンズアレイ間に各遮光板を簡易に配置することができる。
【００１９】
また、前述のように、保持部材が、枠状ではなく板状に形成されている場合には、遮光板を第２開口部に挿入した後、当該第２開口部が形成された側面に保持部材を取り付けることができるので、当該側面に対向する他の側面に、保持部材が挿通する開口部又は切欠を形成する必要がない。これによれば、当該開口部又は切欠による筐体の強度低下が生じることがないだけでなく、筐体を補強する必要がない。従って、調光装置の配置を容易に行うことができるとともに、筐体の強度が低下することを防ぐことができる。
【図面の簡単な説明】
【００２０】
【図１】本発明の一実施形態にプロジェクタの構成を示す模式図。
【図２】前記実施形態における部品収納部材を示す斜視図。
【図３】前記実施形態における部品収納部材を示す斜視図。
【図４】前記実施形態における調光装置を示す斜視図。
【図５】前記実施形態における調光装置を示す斜視図。
【図６】前記実施形態における調光装置と各レンズアレイとの位置関係を示す斜視図。
【図７】前記実施形態における各遮光板の回動範囲を示す図。
【図８】前記実施形態における各遮光板の回動範囲を示す図。
【図９】前記実施形態における各遮光板の回動範囲を示す図。
【発明を実施するための形態】
【００２１】
以下、本発明の一実施形態を図面に基づいて説明する。
〔プロジェクタの構成〕
図１は、本実施形態に係るプロジェクタ１の構成を示す模式図である。
本実施形態のプロジェクタ１は、外部から入力される画像情報に応じた画像に係る画像光を形成し、当該画像光をスクリーン等の投射面上に拡大投射するものである。このプロジェクタ１は、図１に示すように、外装筐体２、投射レンズ３及び光学ユニット４等を備えている。
また、これらの他に、プロジェクタ１は、当該プロジェクタ１内部を冷却する冷却ファン等で構成される冷却ユニット９１、プロジェクタ１内部の各構成部材に電力を供給する電源ユニット９２、及び、プロジェクタ１全体を制御する制御ユニット９３等を備え、これらユニット９１〜９３は、外装筐体２内に配置されている。
【００２２】
〔外装筐体及び投射レンズの構成〕
外装筐体２は、投射レンズ３及び光学ユニット４等を内部に収納配置するものであり、全体略直方体形状に形成されている。なお、本実施形態では、外装筐体２を合成樹脂により形成したが、これに限らず、金属等の他の材料により形成してもよい。
投射レンズ３は、光学ユニット４にて形成された画像光を、投射面上に結像させるとともに、当該画像光に係る画像を拡大投射する投射光学装置である。この投射レンズ３は、筒状の鏡筒内に複数のレンズが収納された組レンズとして構成されている。
【００２３】
〔光学ユニットの構成〕
光学ユニット４は、前述の制御ユニット９３による制御下で、光源から射出された光束を、光学的に処理して画像情報に応じた画像光を形成するユニットである。この光学ユニット４は、外装筐体２の背面に沿って延出するとともに、外装筐体２の側面に沿って延出する平面視略Ｌ字形状を有している。
このような光学ユニット４は、照明光学装置４１と、色分離光学装置４２と、リレー光学装置４３と、電気光学装置４４と、これら光学部品４１〜４４を内部に収納配置するとともに、投射レンズ３を所定位置で支持固定する光学部品用筐体４５とを備えている。
【００２４】
〔照明光学装置の構成〕
照明光学装置４１は、本発明に照明装置に相当し、電気光学装置４４を構成する後述する液晶パネル４４２の画像形成領域をほぼ均一に照明する。この照明光学装置４１は、光源装置４１１と、第１レンズアレイ４１２と、第２レンズアレイ４１３と、偏光変換素子４１４と、重畳レンズ４１５と、調光装置５とを備えて構成されている。
【００２５】
光源装置４１１は、放射状の光線を射出する光源ランプ４１６と、当該光源ランプ４１６から射出された放射光を反射して、所定位置に収束させるリフレクタ４１７と、リフレクタ４１７にて反射されて収束される光束を照明光軸Ａに対して平行化する平行化凹レンズ４１８とを備えている。このような光源ランプ４１６としては、ハロゲンランプ、メタルハライドランプ及び高圧水銀ランプ等を利用することができる。また、リフレクタ４１７としては、回転楕円面を有する楕円面リフレクタで構成することができるほか、回転放物面を有する放物面リフレクタで構成することも可能である。この場合には、平行化凹レンズ４１８を省略することができる。
【００２６】
第１レンズアレイ４１２は、光源装置４１１から射出された光束の中心軸（照明光軸Ａ）に略直交する面内に、複数の小レンズである第１レンズがマトリクス状に配列された構成を有している。これら第１レンズは、照明光軸Ａ方向から見て略矩形状の輪郭を有している。そして、これら各第１レンズは、光源装置４１１から射出される光束を、複数の部分光束に分割する。
第２レンズアレイ４１３は、第１レンズアレイ４１２と同様の構成を有しており、第１レンズアレイ４１２の第１レンズに対応する小レンズである第２レンズがマトリクス状に配列された構成を有している。この第２レンズアレイ４１３は、重畳レンズ４１５とともに、第２レンズアレイ４１３の各第２レンズの像を、電気光学装置４４の後述する液晶パネル４４２の画像形成領域に結像させる機能を有している。
【００２７】
調光装置５は、第１レンズアレイ４１２及び第２レンズアレイ４１３の間に設けられ、第１レンズアレイ４１２から射出された光を部分的に遮蔽して、第２レンズアレイ４１３に入射する光束の光量を調整し、これにより、後述する液晶パネル４４２の画像形成領域に入射する光束の光量を調整する。この調光装置５の構成については、後に詳述する。
【００２８】
偏光変換素子４１４は、第２レンズアレイ４１３と重畳レンズ４１５との間に配置され、当該第２レンズアレイ４１３からの光を略１種類の直線偏光に変換する。
具体的に、偏光変換素子４１４によって略１種類の直線偏光に変換された各部分光は、重畳レンズ４１５によって最終的に後述する液晶パネル４４２の画像形成領域にほぼ重畳される。偏光光を変調するタイプの液晶パネルを用いたプロジェクタでは、１種類の偏光光しか利用できないため、ランダムな偏光光を発する光源装置４１１からの光の略半分を利用できない。このため、偏光変換素子４１４を用いることで、光源装置４１１からの射出光を略１種類の直線偏光に変換し、電気光学装置４４での光の利用効率を高めている。
【００２９】
〔色分離光学装置及びリレー光学装置の構成〕
色分離光学装置４２は、２枚のダイクロイックミラー４２１，４２２と、反射ミラー４２３とを備え、ダイクロイックミラー４２１，４２２により照明光学装置４１から射出された複数の部分光束を、赤（Ｒ）、緑（Ｇ）、青（Ｂ）の３色の色光に分離する。
リレー光学装置４３は、入射側レンズ４３１、リレーレンズ４３３及び反射ミラー４３２，４３４を備え、色分離光学装置４２で分離された赤色光を赤色光用の液晶パネル４４２Ｒまで導く機能を有している。
【００３０】
この際、色分離光学装置４２のダイクロイックミラー４２１では、照明光学装置４１から射出された光束の赤色光成分及び緑色光成分が透過し、青色光成分が反射する。ダイクロイックミラー４２１によって反射された青色光は、反射ミラー４２３で反射され、フィールドレンズ４４１を通って青色光用の液晶パネル４４２Ｂに達する。このフィールドレンズ４４１は、第２レンズアレイ４１３から射出された各部分光束を、その中心軸（主光線）に対して平行な光束に変換する。他の緑色光及び赤色光用の液晶パネル４４２Ｇ，４４２Ｒの光入射側に設けられたフィールドレンズ４４１も同様である。
【００３１】
ダイクロイックミラー４２１を透過した赤色光及び緑色光のうち、緑色光は、ダイクロイックミラー４２２によって反射され、フィールドレンズ４４１を通って緑色光用の液晶パネル４４２Ｇに達する。一方、赤色光は、ダイクロイックミラー４２２を透過してリレー光学装置４３を通り、さらにフィールドレンズ４４１を通って赤色光用の液晶パネル４４２Ｒに達する。なお、赤色光にリレー光学装置４３が用いられているのは、赤色光の光路の長さが他の色光の光路の長さよりも長いため、光の拡散等による光の利用効率の低下を防止するためである。すなわち、入射側レンズ４３１に入射した部分光束をそのまま、フィールドレンズ４４１に伝えるためである。なお、リレー光学装置４３には、３つの色光のうち赤色光を通す構成としたが、これに限らず、例えば、青色光を通す構成としてもよい。
【００３２】
〔電気光学装置の構成〕
電気光学装置４４は、色分離光学装置４２から射出される３つの色光を画像情報に応じてそれぞれ変調し、変調した各色光を合成して光学像（カラー画像）を形成する。
この電気光学装置４４は、図１に示すように、前述のフィールドレンズ４４１と、光変調装置としての液晶パネル４４２（赤色光用の液晶パネルを４４２Ｒ、緑色光用の液晶パネルを４４２Ｇ、及び、青色光用の液晶パネルを４４２Ｂとする）と、これら各液晶パネル４４２の光束入射側にそれぞれ配置される３つの入射側偏光板４４３と、各液晶パネル４４２の光束射出側にそれぞれ配置される３つの視野角補償板４４４と、当該３つの視野角補償板４４４の光束射出側にそれぞれ配置される３つの射出側偏光板４４５と、色合成光学装置としてのクロスダイクロイックプリズム４４６とを備えて構成されている。
【００３３】
入射側偏光板４４３には、偏光変換素子４１４で偏光方向が略一方向に揃えられた各色光が入射し、当該入射側偏光板４４３は、入射した光束のうち、偏光変換素子４１４で揃えられた光束の偏光方向と略同一方向の偏光光のみ透過させ、その他の光束を吸収する。このような入射側偏光板４４３は、例えば、サファイアガラスまたは水晶等の透光性基板上に偏光層が貼付された構成を有している。
液晶パネル４４２は、詳しい図示を省略するが、一対の透明なガラス基板間に電気光学物質である液晶が密閉封入された構成を有している。そして、当該液晶パネル４４２では、前述の制御ユニット９３から入力する画像情報である駆動信号に応じて、画像形成領域に位置する液晶の配向状態が制御され、入射側偏光板４４３から射出された偏光光束の偏光方向が変調されることで、画像光が形成される。
【００３４】
視野角補償板４４４は、液晶パネル４４２に光束が斜方入射した場合（パネル面の法線方向に対して傾斜して入射した場合）の当該液晶パネル４４２で生じる複屈折による常光と異常光との間に生じる位相差を補償する。
射出側偏光板４４５は、液晶パネル４４２から射出され視野角補償板４４４を介した光束のうち、入射側偏光板４４３における光束の透過軸と直交する偏光方向を有する光束のみ透過させ、その他の光束を吸収するものである。このような射出側偏光板４４５は、前述の入射側偏光板４４３と同様の構成とすることができる。
【００３５】
クロスダイクロイックプリズム４４６は、射出側偏光板４４５から射出された色光毎に変調された変調光を合成して光学像（カラー画像）を形成する色合成光学装置である。
このクロスダイクロイックプリズム４４６は、４つの直角プリズムを貼り合わせた平面視正方形状をなし、直角プリズム同士を貼り合わせた界面には、２つの誘電体多層層が形成されている。これら誘電体多層層は、投射レンズ３と対向する側（Ｇ色光側）に配置された射出側偏光板４４５を介した色光を透過し、残り２つの射出側偏光板４４５（Ｒ色光側及びＢ色光側）を介した色光を反射する。このようにして、各入射側偏光板４４３、各液晶パネル４４２、各視野角補償板４４４、及び、各射出側偏光板４４５にて変調された各色光が合成されてカラー画像が形成される。このようにして形成されたカラー画像に係る画像光は、前述の投射レンズ３により拡大投射され、当該カラー画像が投射面上に表示される。
【００３６】
〔光学部品用筐体の構成〕
図２及び図３は、光学部品用筐体４５を示す斜視図である。具体的に、図２は、光学部品用筐体４５を調光装置５の装着側から見た斜視図であり、図３は、調光装置５が装着された光学部品用筐体４５を示す斜視図である。なお、図２及び図３において、Ｚ方向は、光源装置４１１から色分離光学装置４２までの範囲での当該光源装置４１１から射出された光束の中心軸における光の進行方向を示し、Ｘ方向及びＹ方向は、それぞれＺ方向に直交し、かつ、互いに直交する方向を示している。なお、プロジェクタ１が水平面に載置された場合には、Ｘ方向は、水平に沿う方向のうち、Ｚ方向から見て右から左に向かう方向となり、Ｙ方向は、鉛直方向に対する反対方向となる。以下に示す各図において、Ｘ，Ｙ及びＺ方向が示されている場合には、図２及び図３と同じ方向を示す。
光学部品用筐体４５は、図２及び図３に示すように、平面視略Ｌ字状を有する合成樹脂製の箱型筐体である。この光学部品用筐体４５は、上方に前述の光学部品（例えば、第１レンズアレイ４１２及び第２レンズアレイ４１３）を収納するための開口部４５２を有する部品収納部材４５１と、当該開口部４５２を閉塞する蓋状部材（図示省略）とを備えて構成されている。
【００３７】
このうち、部品収納部材４５１は、本発明の筐体に相当し、外装筐体２の底面に沿って配置される底面部４５３と、当該底面部４５３の端縁から起立する側面部４５４（本発明の側面に相当）とを有している。そして、部品収納部材４５１は、これらにより、断面視略Ｕ字状に形成されるとともに、前述の第１開口部としての開口部４５２がＹ方向に形成されている。このような部品収納部材４５１の一端には、光源装置４１１が取り付けられる光源取付部４５５が形成され、他端には、投射レンズ３が取り付けられるレンズ取付部４５６が形成されている。また、当該部品収納部材４５１の内部には、前述の光学部品を位置決めする複数の溝部４５７が形成されている。
【００３８】
投射レンズ３の取付側（Ｘ方向とは反対側）の側面部４５４には、調光装置５の後述する遮光板５６，５７が挿入される第２開口部としての開口部４５８が形成されている。この開口部４５８は、部品収納部材４５１内に位置決め固定される第１レンズアレイ４１２及び第２レンズアレイ４１３の間に対応する範囲内で、かつ、当該第２レンズアレイ４１３寄りの位置に形成されている。そして、調光装置５は、遮光板５６，５７が当該開口部４５８内に挿入された状態で、部品収納部材４５１にねじ等により固定される。
【００３９】
〔調光装置の構成〕
図４〜図６は、調光装置５を示す斜視図である。具体的に、図４及び図６は、調光装置５を一方の側（面５１Ａ側）から見た斜視図であり、図５は、調光装置５を反対側（面５１Ｂ側）から見た斜視図である。また、図６は、調光装置５と、第１レンズアレイ４１２及び第２レンズアレイ４１３との位置関係を示す斜視図である。
調光装置５は、前述のように、第１レンズアレイ４１２と第２レンズアレイ４１３との間に設けられ、当該第１レンズアレイ４１２から入射した光束の一部を遮光することで、第２レンズアレイ４１３に入射する光量を調整する。この調光装置５は、図４〜図６に示すように、保持部材５１、駆動手段としてのステッピングモータ（以下「モータ」と略す）５２、ギア５３〜５５、遮光板５６，５７及びフォトセンサ５８を備えている。
【００４０】
保持部材５１は、板金を折り曲げ加工して形成された側面視略Ｌ字状を有する板状体であり、一方の端部（垂直方向延出部５１１）の延出方向がＹ方向に沿い、かつ、他方の端部（水平方向延出部５１２）の延出方向がＺ方向に沿うように、前述の部品収納部材４５１に固定される。この保持部材５１は、当該部品収納部材４５１に対向する面５１Ａ側に、各ギア５３〜５５及びフォトセンサ５８を保持し、当該面５１Ａとは反対側の面５１Ｂ側にモータ５２を保持する。
【００４１】
具体的に、垂直方向延出部５１１には、Ｙ方向先端側と略中央とに１つずつ孔部５１１１，５１１２が形成されている。このうち、孔部５１１１には、面５１Ａ側に配置されるギア５５を挿通した固定部材５９１が取り付けられ、また、孔部５１１２には、同じく面５１Ａ側に配置されるギア５４を挿通した固定部材５９２が取り付けられる。これにより、保持部材５１により、ギア５４，５５が回動自在に支持される。
【００４２】
垂直方向延出部５１１におけるＸ方向側の端部と、当該Ｘ方向とは反対方向側の端部とには、面５１Ａ側に屈曲した屈曲部５１３〜５１５が、それぞれ形成されている。
このうち、Ｘ方向側の端部に形成された屈曲部５１３には、屈曲方向先端側に垂直方向延出部５１１に沿ってＸ方向側に延出する面が形成されている。この面には、２つの孔部５１３１，５１３２が形成され、当該孔部５１３１，５１３２には、保持部材５１を部品収納部材４５１に取り付けるためのねじが挿通する。
【００４３】
Ｘ方向とは反対方向側の端部に形成された屈曲部５１４，５１５のうち、Ｙ方向先端側に形成された屈曲部５１４には、屈曲部５１３と同様に、屈曲方向先端側に垂直方向延出部５１１に沿ってＸ方向とは反対方向に延出する面が形成されている。この面には、Ｙ方向先端側及び基端側の端部近傍に、それぞれ長孔部５１４１及び円孔部５１４２が形成され、これら長孔部５１４１及び円孔部５１４２には、保持部材５１を部品収納部材４５１に取り付けるねじが挿通する。
また、垂直方向延出部５１１におけるＹ方向基端側に形成された屈曲部５１４には、フォトセンサ５８が取り付けられる。
【００４４】
水平方向延出部５１２には、Ｚ方向先端側から基端側に向かって、孔部５１２１と、モータ５２が取り付けられるモータ取付部５１２２と、ギア５３が取り付けられるギア取付部（図示省略）とが形成されている。
このうち、孔部５１２１には、保持部材５１を部品収納部材４５１に取り付けるためのねじが挿通する。
モータ取付部５１２２は、略円形状の孔部５１２３と、当該孔部５１２３を中心として略点対称に形成された２つの孔部（図示省略）とから構成されている。このうち、孔部５１２３には、面５１Ｂ側に配置されたモータ５２のギア５２２が挿通し、２つの孔部には、モータ５２を保持部材５１に固定するためのねじ５９３が、それぞれ挿通する。
ギア取付部には、面５１Ａ側に配置されるギア５３を挿通した固定部材（図示省略）取り付けられ、これにより、ギア５３が回動自在に保持部材５１に支持される。
【００４５】
モータ５２は、後述するギア５３〜５５を回動させる駆動力を発生するものであり、当該モータ５２の駆動は、前述の制御ユニット９３により制御される。
このモータ５２は、回転軸であるスピンドル（図示省略）を有するモータ本体５２１と、当該スピンドルの先端に設けられたギア５２２とを備えている。これらのうち、モータ本体５２１は、保持部材５１の面５１Ｂ側に取り付けられ、ギア５２２は、孔部５１２３を介して、面５１Ａ側に配置される。そして、ギア５２２は、保持部材５１に回動自在に支持されたギア５３と噛合する。
【００４６】
ギア５３は、モータ５２で発生した駆動力をギア５４に伝達する。このギア５３は、ギア５２２に噛合する第１ギア部５３１と、ギア５４に噛合する第２ギア部５３２とを備え、これら第１ギア部５３１及び第２ギア部５３２は、それぞれ同軸上に形成されている。このうち、第１ギア部５３１の径寸法は、第２ギア部５３２の径寸法より大きく設定されており、このようなギア５３により、ギア５２２の回転が減速され、モータ５２の回動は、ギア５４，５５では約１０分の１の回動に調整される。
【００４７】
ギア５４，５５は、本発明の回動部材に相当し、互いに噛合した状態で、保持部材５１に回動自在に取り付けられる。すなわち、ギア５３を介して伝達されたモータ５２の駆動力により、ギア５４，５５は、互いに逆方向に回動する。
これらのうち、ギア５４は、平面視略円形状に形成されているが、ギア５５は、調光装置５の小型化のために、当該ギア５５が保持する遮光板５７の動作範囲に応じた寸法に設定されている。具体的には、当該ギア５５は、平面視略１／４円形状を有している。
これらギア５４，５５は、当該ギア５４，５５の各回動軸Ｃ１（孔部５１１２の中心軸），Ｃ２（孔部５１１１の中心軸）が第２レンズアレイ４１３と重なるように配置され、これら回動軸Ｃ１，Ｃ２から外れた位置（具体的に、第１レンズアレイ４１２に近接する側の位置）に、それぞれ遮光板５６，５７を保持する保持部５４１，５５１を備えている。
【００４８】
保持部５４１，５５１は、回動軸Ｃ１，Ｃ２に沿うように、ギア５４，５５から面外方向に起立して形成されている。そして、これら保持部５４１，５５１には、回動軸Ｃ１，Ｃ２に沿って配置された遮光板５６，５７が、ねじ５９４，５９５により固定される。
【００４９】
また、ギア５４には、発光部及び受光部を有するフォトセンサ５８のセンサ部５８１（図７〜図９参照）に対向する部位に切欠５４２が形成されており、センサ部５８１からの光が切欠５４２に照射されて、当該センサ部５８１での光の検出状態が変化することにより、フォトセンサ５８は、ギア５４により保持される遮光板５６の位置を検出する。そして、フォトセンサ５８は、遮光板５６の位置の検出状態に係る検出信号を、前述の制御ユニット９３に出力する。
【００５０】
遮光板５６，５７は、ギア５４，５５の回動に伴って、第１レンズアレイ４１２から射出された光束の透過領域内に挿入され、当該光束の一部を透過領域外に反射して、第２レンズアレイ４１３に入射する光束の光量を調整する。
これら遮光板５６，５７は、板金を折り曲げ加工して形成された板状体であり、それぞれ略鏡面対称構造を有している。そして、遮光板５６，５７は、ギア５４，５５からの延出方向（Ｘ方向）の寸法が、第２レンズアレイ４１３における各小レンズが形成された領域における同方向の寸法に応じて設定され、また、当該延出方向に直交する方向の寸法が、同じく各小レンズが形成された領域における同方向の寸法の略半分に設定されている。
【００５１】
このような遮光板５６，５７は、ギア５４，５５からの延出方向がＸ方向に沿う方向となるように延出する平板状の平板部５６１，５７１と、固定部５６２，５７２と、屈曲部５６３，５７３とをそれぞれ備えている。
このうち、固定部５６２，５７２は、ギア５４，５５にそれぞれ近接する側の端部近傍に形成された孔部であり、当該固定部５６２，５７２には、遮光板５６，５７を保持部５４１，５５１に固定するためのねじ５９４，５９５が挿通する。
【００５２】
屈曲部５６３，５７３は、平板部５６１，５７１における回動軸Ｃ１，Ｃ２に近接する側の端部から、当該回動軸Ｃ１，Ｃ２に対して離間する方向に屈曲して形成されている。具体的に、この屈曲方向は、各遮光板５６，５７が同一平面上に位置するように回動した際に、第２レンズアレイ４１３から離間し、かつ、第１レンズアレイ４１２に近接する方向である。これら屈曲部５６３，５７３は、遮光板５６，５７の強度を増すための部位であるほか、平板部５６１，５７１の外側に張り出すことで、第２レンズアレイ４１３への入射光束を遮光して、遮光板５６，５７の小型化を図る部位である。
【００５３】
具体的に、図６に示すように、第１レンズアレイ４１２における小レンズが形成された小レンズ領域４１２１と、第２レンズアレイ４１３における小レンズが形成された小レンズ領域４１３１とを比較すると、第１レンズアレイ４１２の小レンズ領域４１２Ａの方が小さい。このため、小レンズ領域４１２Ａから射出された光は、外側に広がりつつ、第２レンズアレイ４１３の小レンズ領域４１３Ａに入射する。これに対し、各遮光板５６，５７における互いに近接する側の反対側に形成された屈曲部５６３，５７３が、第２レンズアレイ４１３から離間する方向に屈曲していることにより、当該小レンズ領域４１３Ａの外側に入射する光を、屈曲部５６３，５７３にて遮蔽することができる。
【００５４】
〔遮光板による遮光〕
図７〜図９は、遮光板５６，５７の回動範囲を示す図である。換言すると、図７〜図９は、調光装置５を当該調光装置５の開口部４５８への挿入方向（Ｘ方向）とは反対方向側（ギア５４，５５からの遮光板５６，５７の延出方向とは反対方向側）から見た斜視図である。
遮光板５６，５７は、調光装置５により遮光しない場合には、図７に示すように、当該第１レンズアレイ４１２から射出され、かつ、第２レンズアレイ４１３に入射する光の透過領域ＴＡ（図７〜図９において、一点鎖線で囲まれる領域）の外側に配置される。
【００５５】
図７の状態から、モータ５２により生じた駆動力がギア５３を介して伝達されると、ギア５４は、回動軸Ｃ１を中心として回動し、当該ギア５４に噛合するギア５５が、回動軸Ｃ２を中心として回動する。この際、ギア５４がＢ１方向に回動する場合には、ギア５５は、Ｂ２方向に同じ角度だけ回動する。これらギア５４，５５の回動に伴って、遮光板５６，５７が、図８に示すように、屈曲部５６３，５７３が形成された側とは反対側の端部が互いに近接し、かつ、透過領域ＴＡの外側から回り込むように、当該透過領域ＴＡ内に挿入される。
【００５６】
このような状態では、第１レンズアレイ４１２から射出された光束の一部は、当該遮光板５６，５７により遮光されるので、第２レンズアレイ４１３に入射する光束の光量が低減され、これに応じて、液晶パネル４４２の画像形成領域に入射する光量も低減される。
この際、ギア５４，５５は、回動軸Ｃ１，Ｃ２が第２レンズアレイ４１３と重なるように配置されているので、遮光板５６，５７は、第２レンズアレイ４１３の光束入射面を覆うように回動する。これによれば、遮光板５６，５７によって反射された光は、透過領域ＴＡ外に反射され、第２レンズアレイ４１３に入射しない。従って、遮光板５６，５７によって反射された光が、第２レンズアレイ４１３を介して、液晶パネル４４２の画像形成領域に入射して、画像光に遮光板５６，５７の影が映り込むことを防ぐことができる。
【００５７】
ここで、遮光板５６，５７が、回動軸Ｃ１，Ｃ２と重なるように配置されている場合には、当該回動軸Ｃ１，Ｃ２を第１レンズアレイ４１２と第２レンズアレイ４１３との間に配置する必要が生じる。このため、各レンズアレイ４１２，４１３間の距離を、遮光板５６，５７の幅寸法に加えて、回動軸Ｃ１，Ｃ２と第２レンズアレイ４１３との間の寸法を確保する必要が生じ、第１レンズアレイ４１２と第２レンズアレイ４１３との間の寸法を短縮することが阻害される。
また、遮光板５６，５７が、ギア５４，５５における回動軸Ｃ１，Ｃ２から外れた位置に設けられた保持部５４１，５５１により保持され、かつ、当該回動軸Ｃ１，Ｃ２が、第２レンズアレイ４１３と重ならない位置（例えば、第２レンズアレイ４１３と同一平面上で、かつ、第２レンズアレイ４１３の外側の位置）に配置されている場合には、回動軸Ｃ１，Ｃ２間の距離が大きくなり、ギア５４，５５の大型化、ひいては、調光装置５の大型化を招く。
【００５８】
これに対し、調光装置５では、遮光板５６，５７は、回動軸Ｃ１，Ｃ２と重ならないように、ギア５４，５５に保持されているので、当該回動軸Ｃ１，Ｃ２を含む平面上に、第２レンズアレイ４１３を配置することができる。また、当該回動軸Ｃ１，Ｃ２が、第２レンズアレイ４１３と重なるように配置されているので、回動軸Ｃ１，Ｃ２と第２レンズアレイ４１３との間の距離の分だけ、各レンズアレイ４１２，４１３間の距離を短縮することができるだけでなく、回動軸Ｃ１，Ｃ２間の距離を短縮することができる。従って、調光装置５の小型化を図ることができるだけでなく、照明光学装置４１の小型化、ひいては、プロジェクタ１の小型化を図ることができる。
【００５９】
また、図８に示す状態では、ギア５４の切欠５４２の端部が、フォトセンサ５８のセンサ部５８１にかかるようになっており、この位置に切欠５４２の端部が配置された際に、フォトセンサ５８からの光がギア５４に遮られることにより、センサ部５８１での光の検出状態が変化する。この時の遮光板５６の位置が、当該遮光板５６の基準位置となっている。遮光板５６の基準位置は、当該遮光板５６が透過領域ＴＡの外側に配置されている状態（図７において示した状態）と、遮光板５６が当該遮光板５６側の第２レンズアレイ４１３の光束入射面のほぼ全域を覆う状態（図９に示す状態）との中間の位置に設定されている。このように、当該中間の位置に基準位置を設定することにより、遮光板５６，５７の可動中に、基準位置の確認がセンサ部５８１により可能となる。従って、遮光板５６，５７の正確な位置を当該遮光板５６，５７の可動中に常に確認して、ギア５４，５５の回動量を微調整することができ、遮光板５６，５７の位置精度の向上を図ることができる。
【００６０】
図８に示した状態から、更に、ギア５４，５５がＢ１方向及びＢ２方向に回動すると、図９に示すように、各ギア５４，５５は最大回動状態となり、遮光板５６，５７により、第２レンズアレイ４１３の光束入射面がほぼ覆われる。この状態では、遮光板５６，５７の平板部５６１，５７１と、透過領域ＴＡの中心軸（第１レンズアレイ４１２から射出された光束の中心軸）とは、それぞれ直交しないように設定されている。換言すると、遮光板５６，５７は、それぞれ略平行に配置された各レンズアレイ４１２，４１３に対して傾斜しつつ、当該第２レンズアレイ４１３の光束入射面を覆うように設定されている。この状態での第２レンズアレイ４１３に対する遮光板５６，５７の平板部５６１，５７１の傾斜角は、本実施形態では、略５°に設定されている。
【００６１】
ここで、平板部５６１，５７１が、透過領域ＴＡの中心軸に対して直交するように配置されている場合、当該平板部５６１，５７１に入射した光は、光源装置４１１からの軌跡を戻って光源ランプ４１６に入射する戻り光となってしまう。このような戻り光が入射した光源ランプ４１６では、温度上昇が促進されて、劣化が進んでしまう。
これに対し、ギア５４，５５の最大回動状態で、遮光板５６，５７が、透過領域ＴＡの中心軸に対して傾斜することにより、遮光板５６，５７に入射した光が、戻り光となって光源ランプ４１６に入射することを抑制することができ、当該光源ランプ４１６の劣化を抑えることができる。
【００６２】
以上説明した本実施形態に係るプロジェクタ１によれば、以下の効果がある。
（１）遮光板５６，５７が、ギア５４，５５の回動軸Ｃ１，Ｃ２から外れた位置に設けられた保持部５４１，５５１により保持されているので、ギア５４，５５の回動時に、遮光板５６，５７は透過領域ＴＡに対して外側から回りこむように挿入される。これによれば、回動軸Ｃ１，Ｃ２と重なるように遮光板５６，５７が設けられている場合に比べ、当該遮光板５６，５７の移動範囲を小さくすることができる。従って、調光装置５の小型化を図ることができ、照明光学装置４１、ひいては、プロジェクタ１の小型化を図ることができる。
【００６３】
また、回動軸Ｃ１，Ｃ２と遮光板５６，５７とが重ならないので、回動軸Ｃ１，Ｃ２を第１レンズアレイ４１２と第２レンズアレイ４１３との間に配置する必要がないだけでなく、当該回動軸Ｃ１，Ｃ２を含む平面上に、第２レンズアレイ４１３を配置することができる。これによれば、当該回動軸Ｃ１，Ｃ２と第２レンズアレイ４１３との間に隙間を設ける必要がなくなるので、当該各レンズアレイ４１２，４１３間の距離を短くすることができる。更に、回動軸Ｃ１，Ｃ２が、第２レンズアレイ４１３の外側（第２レンズアレイ４１３の光束入射面及び光束射出面をそれぞれ延長して形成される空間内における当該第２レンズアレイ４１３の外側）に位置する場合に比べ、回動軸Ｃ１，Ｃ２間の距離を短縮することができる。
従って、照明光学装置４１、ひいては、プロジェクタ１の更なる小型化を図ることができる。
【００６４】
（２）遮光板５６，５７は、それぞれ、一方の端部側に設けられた固定部５６２，５７２にて、ギア５４，５５に保持及び固定される。すなわち、遮光板５６，５７は、それぞれギア５４，５５により片持ち保持される。これによれば、遮光板５６，５７が、例えば、それぞれ２つ、計４つの支持部材（回動部材）によって支持されている場合では、各支持部材を支持するように、保持部材５１を枠状に形成する必要が生じる。これに対し、各遮光板５６，５７がギア５４，５５により片持ち保持されることで、保持部材５１を、各ギア５４，５５を支持可能な板状体として構成することができる。従って、調光装置５の更なる小型化を図ることができる。
【００６５】
（３）遮光板５６，５７は、互いに離間する側の端部に、屈曲部５６３，５７３を備えているので、当該遮光板５６，５７の強度を増すことができる。
また、平板部５６１，５７１は、Ｘ方向に沿って延出しているので、当該平板部５６１，５７１がＸ方向に対して傾斜している場合に比べ、同じ光量を遮蔽する場合でも、遮光板の表面積を小さくすることができる。従って、小さい表面積で一層効率よく入射光束を遮蔽することができ、これにより、調光装置５の一層の小型化を図ることができる。
【００６６】
更に、屈曲部５６３，５７３の平板部５６１，５７１に対する屈曲方向は、第２レンズアレイ４１３の光束入射面を覆うように遮光板５６，５７を配置した際の当該第２レンズアレイ４１３から離間する方向である。これによれば、第１レンズアレイ４１２から外側に広がるように第２レンズアレイ４１３に入射する光束の透過領域ＴＡにおける外縁側の光を、当該屈曲部５６３，５７３により遮光することができる。従って、屈曲部５６３，５７３が形成されていない遮光板５６、５７に比べて、小さい表面積で入射光束の遮蔽を行うことができる。
【００６７】
（４）ギア５４，５５を最大回動状態とした場合、遮光板５６，５７は、第１レンズアレイ４１２から射出された光束の中心軸に対して傾斜する。これによれば、透過領域ＴＡ内に挿入された遮光板５６，５７によって反射された光が、光源ランプ４１６に戻ることを抑えることができる。従って、光源ランプ４１６の劣化を抑制することができる。
【００６８】
（５）前述のように、各遮光板５６，５７を保持するギア５４，５５の回動軸Ｃ１，Ｃ２は、第２レンズアレイ４１３に重なるように配置され、当該遮光板５６，５７は、当該ギア５４，５５の回動に伴って、屈曲部５６３，５７３側とは反対側の端部が互いに近接及び離間する方向に回動する。これによれば、透過領域ＴＡ内に挿入された遮光板５６，５７によって反射された光が、第２レンズアレイ４１３を介して、液晶パネル４４２に入射することを防ぐことができる。従って、調光装置５による調光を行った際に、液晶パネル４４２によって形成される画像に、遮光板５６，５７の影が映り込むことを防ぐことができ、投射画像が劣化することを防ぐことができる。
【００６９】
（６）光学部品用筐体４５の部品収納部材４５１には、各レンズアレイ４１２，４１３を内部に収納するための開口部４５２の開口面に交差する側面部４５４に、調光装置５の遮光板５６，５７を内部に挿入するための開口部４５８が形成されている。これによれば、各レンズアレイ４１２，４１３間に、遮光板５６，５７を簡易に配置することができる。また、保持部材５１が、板状に形成され、当該保持部材５１に支持されるギア５４，５５によって、遮光板５６，５７は片持ち保持されているので、当該遮光板５６，５７を開口部４５８に挿入した後、保持部材５１を側面部４５４に固定することができる。従って、部品収納部材４５１において開口部４５８を形成した側面部４５４とは反対側の側面部４５４に、調光装置５を挿入するための開口部又は切欠を形成する必要がないので、筐体の強度が低下することを防ぐことができるだけでなく、調光装置５の部品収納部材４５１への取り付けを容易に行うことができる。
【００７０】
〔実施形態の変形〕
本発明を実施するための最良の構成などは、以上の記載で開示されているが、本発明はこれに限定されるものではない。すなわち、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００７１】
前記実施形態では、遮光板５６，５７は、当該遮光板５６，５７の数に応じて設けられたギア５４，５５により片持ち保持されるとしたが、本発明はこれに限らず、遮光板５６，５７の両端を保持する一対の支持部材により、遮光板５６，５７がそれぞれ保持されていてもよい。また、各遮光板５６，５７の回動を同期させるべく、互いに噛合するギア５４，５５により、遮光板５６，５７が保持される構成としたが、本発明はこれに限らず、ギア５４及び遮光板５６と、ギア５５及び遮光板５７とを、それぞれ独立して回動させる構成としてもよい。
【００７２】
前記実施形態では、遮光板５６，５７は、平板部５６１，５７１と、当該平板部５６１，５７１に対して連続して形成された屈曲部５６３，５７３とを備える構成としたが、本発明はこれに限らない。すなわち、遮光板は、屈曲部が形成されていない平板状部材としてもよい。また、屈曲部５６３，５７３は、遮光板５６，５７の長手方向に沿う端部に形成されていればよく、屈曲方向も適宜設定してよい。
【００７３】
前記実施形態では、遮光板５６，５７は、ギア５４，５５が最大回動状態となった場合に、第１レンズアレイ４１２から射出された光束の中心軸に対して直交しないように、ギア５４，５５の回動量は設定されているとしたが、本発明はこれに限らない。すなわち、遮光板５６，５７の平板部５６１，５７１が、当該光束の中心軸に対して直交するように、ギア５４，５５の回動量が設定されていてもよい。また、ギア５４，５５が最大回動状態となった場合の当該中心軸に対する遮光板５６，５７（平板部５６１，５７１）の角度は、遮光板５６，５７により反射された光が、光源ランプ４１６に入射しない程度であれば、適宜設定してよい。
【００７４】
前記実施形態では、調光装置５は、遮光板５６，５７が第１レンズアレイ４１２と第２レンズアレイ４１３との間に配置されるように、部品収納部材４５１に取り付けられるとしたが、本発明はこれに限らない。すなわち、調光装置５の取り付け位置は、他の場所でもよい。
また、前記実施形態では、遮光板５６，５７を保持するギア５４，５５は、回動軸Ｃ１，Ｃ２が第２レンズアレイ４１３と重なるように配置されるとしたが、本発明はこれに限らない。例えば、当該回動軸Ｃ１，Ｃ２が第１レンズアレイ４１２と重なるように、ギア５４，５５を配置し、当該第１レンズアレイ４１２の光束射出面に対して、遮光板５６，５７が近接及び離間するように、調光装置５を配置してもよい。
【００７５】
前記実施形態では、開口部４５２の開口面に交差する側面部４５４における各レンズアレイ４１２，４１３間の領域に、遮光板５６，５７を挿入するための開口部４５８を形成したが、本発明はこれに限らない。例えば、各レンズアレイ４１２，４１３を収納するための開口部４５２を介して、部品収納部材４５１内に遮光板５６，５７を配置するように構成してもよい。
【００７６】
前記実施形態では、プロジェクタ１は、３つの液晶パネル４４２Ｒ，４４２Ｇ，４４２Ｂを備えるとしたが、本発明はこれに限らない。すなわち、２つ以下、あるいは、４つ以上の液晶パネルを用いたプロジェクタにも、本発明を適用可能である。
また、前記実施形態では、光学ユニット４は平面視略Ｌ字形状を有した構成を説明したが、これに限らず、例えば、平面視略Ｕ字形状を有した構成を採用してもよい。
さらに、前記実施形態では、光束入射面と光束射出面とが異なる透過型の液晶パネル４４２を用いていたが、光入射面と光射出面とが同一となる反射型の液晶パネルを用いてもよい。
【００７７】
前記実施形態では、光変調装置として液晶パネル４４２を備えたプロジェクタ１を例示したが、入射光束を画像情報に応じて変調して光学像を形成する光変調装置であれば、他の構成の光変調装置を採用してもよい。例えば、マイクロミラーを用いたデバイスなど、液晶以外の光変調装置を用いたプロジェクタにも、本発明を適用することも可能である。このような光変調装置を用いた場合、光束入射側及び光束射出側の偏光板４４３，４４５は省略することができる。
【００７８】
前記実施形態では、調光装置５を備える照明光学装置４１を、プロジェクタ１に採用したが、本発明はこれに限らない。すなわち、このような照明光学装置４１を単体で利用することも可能である。
【産業上の利用可能性】
【００７９】
本発明は、プロジェクタに好適に利用することができる。
【符号の説明】
【００８０】
１…プロジェクタ、３…投射光学装置、４１…照明光学装置（照明装置）、５１…保持部材、５２…ステッピングモータ（駆動手段）、５４，５５…ギア（回動部材）、５６，５７…遮光板、４１１…光源装置、４１２…第１レンズアレイ、４１３…第２レンズアレイ、４４２（４４２Ｒ，４４２Ｇ，４４２Ｂ）…液晶パネル（光変調装置）、４５１…部品収納部材（筐体）、４５２…開口部（第１開口部）、４５４…側面部（側面）、４５８…開口部（第２開口部）、５１Ａ…面（一方の面）、５６１，５７１…平板部、５６２，５７２…固定部、５６３，５７３…屈曲部、Ｃ１，Ｃ２…回動軸、ＴＡ…透過領域。
【図１】
0005447625.tif 000002
【図２】
0005447625.tif 000003
【図３】
0005447625.tif 000004
【図４】
0005447625.tif 000005
【図５】
0005447625.tif 000006
【図６】
0005447625.tif 000007
【図７】
0005447625.tif 000008
【図８】
0005447625.tif 000009
【図９】
0005447625.tif 000010